(57)【要約】【課題】本体上面に開閉自在に設けた洗濯機等の蓋装置において、蓋体にロック部を有するロック部材を着脱自在に取り付けできるようにし、デザイン性を損なうことなくロック部材が必要な機種と必要でない機種の蓋体を安価に得る。【解決手段】洗濯槽の開口部を開閉する蓋装置であって、ベース部材２６とこのベース部材２６に重ね合わせて固定する覆い部材２７とで蓋体２５ａを構成する。ベース部材２６の内面側にロック部３０ａが位置するようにロック部材３０を配し、このロック部材３０の根元部３０ｂをベース部材２６と覆い部材２７との間に着脱自在に挟み込むよう構成する。【選択図】　図１
2004081648.tif 000002
【特許請求の範囲】
【請求項１】
洗濯槽の開口部を開閉する蓋装置であって、ベース部材とこのベース部材に重ね合わせて固定する覆い部材とで蓋体を構成し、前記ベース部材の内面側にロック部が位置するようにロック部材を配し、このロック部材の根元部を前記ベース部材と覆い部材との間に着脱自在に挟み込むよう構成した洗濯機等の蓋装置。
【請求項２】
ロック部材は、ベース部材の上方から取り付け、ベース部材に設けた第１の穴を通してロック部材のロック部を下方に突出させた請求項１記載の洗濯機等の蓋装置。
【請求項３】
ロック部材は、ロック部の挿入方向を特定する形状を有する請求項１または２記載の洗濯機等の蓋装置。
【請求項４】
ロック部材の根元部を、爪係合によってベース部材に着脱自在に取り付けた請求項１〜３のいずれか１項に記載の洗濯機等の蓋装置。
【請求項５】
ロック部材は、ベース部材にねじ部材にて螺結可能に第２の穴を有し、この第２の穴に対応する位置のベース部材にボスを設け、ねじ部材の頭を覆い部材で覆った請求項１〜４のいずれか１項に記載の洗濯機等の蓋装置。
【請求項６】
ベース部材に設けた第１の穴は、成型金型によって閉塞可能に成型できるようにした請求項２記載の洗濯機等の蓋装置。
【発明の詳細な説明】
【０００１】
【発明の属する技術分野】
本発明は、本体上面に開閉自在に設けた洗濯機等の蓋装置に関するものである。
【０００２】
【従来の技術】
従来、洗濯機は図５に示すように構成していた。以下、その構成について説明する。
【０００３】
図５に示すように、筐体１は、内部に複数のサスペンション２によって弾性的に吊り下げた外槽３を設け、脱水時の振動をサスペンション２によって吸収する構成としている。外槽３の内部に、回転中心軸を鉛直方向に有し、衣類を収容する内槽４を回転自在に支持し、内槽４の内底部に衣類を撹拌する回転翼５を回転自在に設けている。
【０００４】
内槽４の上方には高速回転時に内槽４の振幅を矯正するための流体バランサ６を設けている。そして、外槽３および内槽４の底部中心には、回転翼５を軸支する洗濯軸７ａと、洗濯軸７ａを内包し中空で内槽４を軸支し洗濯軸７ａと略同軸上の脱水軸７ｂとを切り換えるクラッチ８を設けている。モータ９は外槽３の底部に設け、クラッチ８を介して内槽４または回転翼５を駆動するように構成している。
【０００５】
筐体１の上方に筐体１を覆うように筐体カバー１０を搭載し、その筐体カバー１０の略中央部に後方にて一端を軸支部１１により上方へ回動自在に軸支され、この軸支部１１と略平行な軸線１２に沿って折りたたみ可能に連結した蓋体１３ａ、１３ｂからなる開閉蓋を設けている。
【０００６】
一方の蓋体１３ａの端部に、図６に示すように、軸線１２に沿って片持ち支持される複数個の軸受け１４をほぼ両端１５ａ、１５ｂから略等間隔に一体形成し、他方の蓋体１３ｂには軸受け１４と対応する位置に軸受け部１６を一体形成している。これら２枚の蓋体１３ａ、１３ｂの連結方法は、軸１７を軸受け１４と軸受け部１６に貫通させ、回動自在としている。また、筐体カバー１０には操作表示手段１８を設けるとともに、内槽４に給水する給水弁１９を設けている。
【０００７】
外槽３の底部には外槽３内の水を排水する排水弁２０を設けている。制御装置２１はマイクロコンピュータを具備し、モータ９、クラッチ８、給水弁１９、排水弁２０などの動作を制御し、洗い、すすぎ、脱水の一連の行程を逐次制御するように構成している。
【０００８】
上記構成において動作を説明する。まず、洗い行程では、内槽４に衣類と洗剤を投入して運転を開始すると、制御装置２１は、給水弁１９を駆動し、内槽４に水を給水する。
【０００９】
所定の水位まで給水すると、クラッチ８を洗濯軸７ａ側に切り換え、モータ９を駆動して回転翼５を回転させる。このとき排水弁２０は閉じている。このとき、衣類は回転翼５により摩擦を生じ、溶けた洗剤とあいまって洗浄される。
【００１０】
すすぎ行程にて、内槽３の衣類をすすいだ後、脱水行程では、排水弁２０を開いて排水を行いながら、内槽４を高速回転させて脱水し、所定の時間まで脱水した後、運転を終了する。
【００１１】
以上のような構成において、使用者が脱水の動作中に蓋体１３ａ、１３ｂを開けたときには、安全を確保するために、クラッチ８に内蔵されたバンドブレーキ（図示せず）により物理的制御で内槽４の回転を停止させていた。
【００１２】
また、脱水時の安全性をさらに確保するために、蓋体１３ａ、１３ｂに代えて、図７に示すように、蓋体２２ａ、２２ｂからなる開閉蓋を筐体カバー１０の略中央部に回動自在に設け、蓋体２２ａにロック部２３を設けるとともに、筐体カバー１０の蓋体２２ａ、２２ｂを閉じたときロック部２３に対応する位置にキー部２４を構成しているものもある。
【００１３】
この構成により、脱水時には、安全性を確保するために、蓋体２２ａ、２２ｂを閉じた状態でキー部２４が前後に作動することでロック部２３と連通し、使用者が蓋体２２ａ、２２ｂを開けられないようにできる。脱水終了後等蓋体２２ａ、２２ｂを開けても問題ない場合は、キー部２４を元の状態に戻し、蓋体２２ａ、２２ｂを開閉することができる。
【００１４】
【発明が解決しようとする課題】
このような従来の構成では、蓋体をロックする洗濯機と、ロックしない洗濯機では、同一の筐体カバー１０を使用する場合でも、ロック部２３が有る蓋体２２ａ、２２ｂとロック部がない蓋体１３ａ、１３ｂを別々に作らなければならず、金型を２面必要として、非常にコスト高になっていた。
【００１５】
本発明は上記従来の課題を解決するもので、蓋体にロック部を有するロック部材を着脱自在に取り付けできるようにし、デザイン性を損なうことなくロック部材が必要な機種と必要でない機種の蓋体を安価に得ることを目的としている。
【００１６】
【課題を解決するための手段】
本発明は上記目的を達成するために、洗濯槽の開口部を開閉する蓋装置であって、ベース部材とこのベース部材に重ね合わせて固定する覆い部材とで蓋体を構成し、ベース部材の内面側にロック部が位置するようにロック部材を配し、このロック部材の根元部をベース部材と覆い部材との間に着脱自在に挟み込むよう構成したものである。
【００１７】
これにより、蓋体にロック部を有するロック部材を着脱自在に取り付けることができ、１つのベース部材と覆い部材とを作成することで、デザイン性を損なうことなくロック部材が必要な機種と必要でない機種の蓋体を安価に得ることができる。
【００１８】
【発明の実施の形態】
本発明の請求項１に記載の発明は、洗濯槽の開口部を開閉する蓋装置であって、ベース部材とこのベース部材に重ね合わせて固定する覆い部材とで蓋体を構成し、前記ベース部材の内面側にロック部が位置するようにロック部材を配し、このロック部材の根元部を前記ベース部材と覆い部材との間に着脱自在に挟み込むよう構成したものであり、蓋体にロック部を有するロック部材を着脱自在に取り付けることができ、１つのベース部材と覆い部材とを作成することで、デザイン性を損なうことなくロック部材が必要な機種と必要でない機種の蓋体を安価に得ることができる。
【００１９】
請求項２に記載の発明は、上記請求項１に記載の発明において、ロック部材は、ベース部材の上方から取り付け、ベース部材に設けた第１の穴を通してロック部材のロック部を下方に突出させたものであり、ロック部材がロックされた状態で蓋体を上方に引き上げたとしても、ロック部材の保持強度を大きくできてロック部材が外れるのを防止することができる。
【００２０】
請求項３に記載の発明は、上記請求項１または２に記載の発明において、ロック部材は、ロック部の挿入方向を特定する形状を有するものであり、逆挿入によりロックが外れる等の不安全要素をなくすことができる。
【００２１】
請求項４に記載の発明は、上記請求項１〜３に記載の発明において、ロック部材の根元部を、爪係合によってベース部材に着脱自在に取り付けたものであり、ロック部材の引っ張り強度を向上することができる。
【００２２】
請求項５に記載の発明は、上記請求項１〜４に記載の発明において、ロック部材は、ベース部材にねじ部材にて螺結可能に第２の穴を有し、この第２の穴に対応する位置のベース部材にボスを設け、ねじ部材の頭を覆い部材で覆ったものであり、ロック部材の引っ張り強度を向上することができ、また、ねじ部材の頭を覆い部材で覆うことにより、デザイン性を保持することができる。
【００２３】
請求項６に記載の発明は、上記請求項２に記載の発明において、ベース部材に設けた第１の穴は、成型金型によって閉塞可能に成型できるようにしたものであり、使用者に第１の穴から覆い部材を押されて外されるのを防止でき、覆い部材の紛失、デザイン性の低減を防止できる。
【００２４】
【実施例】
以下、本発明の実施例について、図面を参照しながら説明する。なお、洗濯機の全体構成は従来例と同じであるので説明を省略する。
【００２５】
（実施例１）
図１に示すように、蓋体２５ａは、ベース部材２６とこのベース部材２６に重ね合わせて固定する覆い部材２７とで構成し、ベース部材２６の端部に、従来例と同様に、軸線に沿って片持ち支持される複数個の軸受け（図示せず）を略等間隔に一体形成している。蓋体２５ｂには軸受けと対応する位置に軸受け部２８を一体形成している。これら２枚の蓋体２５ａ、２５ｂは、軸（図示せず）を軸受けと軸受け部２８に貫通させて回動自在とし、筐体カバー（図示せず）の略中央部に回動自在に設けるよう構成している。覆い部材２９は蓋体２５ｂの上部を覆うものである。
【００２６】
ロック部材３０は、ロック部３０ａと根元部３０ｂとで構成し、ロック部３０ａがベース部材２６の内面側に位置するように配するもので、根元部３０ｂは真上から見て略矩形形状をしている。ベース部材２６にロック部材３０の根元部３０ｂと同形状の一段下がった段部３１を構成し、さらに、ロック部３０ａを下方に突出させる第１の穴３２を配設している。
【００２７】
上記構成において、ベース部材２６に配設した第１の穴３２よりロック部材３０のロック部３０ａを下方に突出させ、ロック部材３０の根元部３０ｂを段部３１に嵌合することにより、ロック部３０ａのねじり力に対して抵抗力を持たせることができる。このとき、第１の穴３２を根元部３０ｂよりも小さくすることにより、ロック部材３０は根元部３０ｂとベース部材２６との間で大きな抵抗力を持ち、引っ張り強度を向上することができる。
【００２８】
さらに、ロック部材３０はベース部材２６と覆い部材２７とで挟み込まれることにより固定され、覆い部材２７をはずすことで着脱自在となるため、ロック部材３０が必要でない洗濯機にも同一の蓋体２５ａ、２５ｂを使用することができる。
【００２９】
（実施例２）
図２に示すように、ロック部材３３は、ロック部３３ａと根元部３３ｂとで構成し、ベース部材２６と覆い部材２７とで挟み込まれることにより固定される。根元部３３ｂに第１の脚部３４ａ、３４ｂを構成し、中心から第１の脚部３４ａ、３４ｂの端までの長さのうち一方をＡ、他方をＢとし、ＡをＢより長くしてロック部材３３の挿入方向を特定できるようにしている。
【００３０】
また、第１の脚部３４ａ、３４ｂに端部に立ち壁３５を構成し、この立ち壁３５の略中央に矩形の穴３６を設け、この穴３６に対応する爪３７をベース部材２６に構成している。このとき、立ち壁３５の先端はロック部材３３の挿入時に挿入しやすいように斜めにカットされた形状としている。他の構成は上記実施例１と同じである。
【００３１】
上記構成において、ロック部材３３の挿入方向を特定できるようにしているので、ロック部材３３を逆挿入することで起きるロックができない、またはロックが外れやすいといった不安全要素を未然に防ぐことができる。
【００３２】
また、ロック部材３３の根元部３３ｂを、爪係合によってベース部材２６に着脱自在に取り付けているので、ロック部材３３の引っ張り強度を向上することができる。
【００３３】
（実施例３）
図３に示すように、ロック部材３８は、ロック部３８ａと根元部３８ｂとで構成し、ベース部材２６と覆い部材２７とで挟み込まれることにより固定される。上記実施例２にて説明した根元部３８ｂに第１の脚部（図示せず）とは対角に、もう１組の第２の脚部３９ａ、３９ｂを構成し、この第２の脚部３９ａ、３９ｂの略中央にはねじ部材４０を貫通させるために円形または楕円形の第２の穴４１を配設する。
【００３４】
第２の穴４１の上方はねじ部材４０が最後まで挿入されるようにすり鉢形状を構成している。また、ねじ部材４０は皿ねじが好ましい。これはねじ部材３５がロック部材３８より飛び出して覆い部材２７と干渉しないためである。ベース部材２６にはロック部材３８に構成したねじ部材貫通用の第２の穴４１に対応する位置にボス４２を設けている。他の構成は上記実施例１と同じである。
【００３５】
上記構成において、ロック部材３８の上方よりねじ部材４０でロック部材３８とベース部材２６を螺結することによりロック部材３８の引っ張り強度を向上することができる。このとき、ねじ部材４０は覆い部材２７にて覆われるため、使用者にねじ部材４０が見えることがなく、デザイン性を保持することができる。
【００３６】
（実施例４）
図４に示すように、ベース部材４３は、成型金型によって、第１の穴を閉塞部４４により閉塞可能に成型できるようにしている。他の構成は上記実施例１と同じである。
【００３７】
上記構成において、ロック部材を必要としない機種に使用するときは、ベース部材４３に構成したロック部材貫通用の第１の穴を金型の切換により、閉塞することができ、使用者に覆い部材２７をベース部材４３側から直接押されて外されるのを防止することができ、覆い部材２７の紛失、デザイン性の低減を防ぐことができる。
【００３８】
【発明の効果】
以上のように、本発明の請求項１に記載の発明によれば、ベース部材とこのベース部材に重ね合わせて固定する覆い部材とで蓋体を構成し、ベース部材の内面側にロック部が位置するようにロック部材を配し、このロック部材の根元部をベース部材と覆い部材との間に着脱自在に挟み込むよう構成することにより、蓋体にロック部を有するロック部材を着脱自在に取り付けることができ、１つのベース部材と覆い部材とを作成することで、デザイン性を損なうことなくロック部材が必要な機種と必要でない機種の蓋体を安価に得ることができる。
【図面の簡単な説明】
【図１】本発明の第１の実施例の洗濯機等の蓋装置の分解斜視図
【図２】（ａ）本発明の第２の実施例の洗濯機等の蓋装置の要部断面図
（ｂ）同洗濯機等の蓋装置のロック部材の側面図
【図３】本発明の第３の実施例の洗濯機等の蓋装置の要部分解断面図
【図４】本発明の第４の実施例の洗濯機等の蓋装置の要部断面図
【図５】従来の洗濯機等の蓋装置の一例を備えた洗濯機の断面図
【図６】同洗濯機等の蓋装置の分解側面図
【図７】従来の洗濯機等の蓋装置の他の例を備えた洗濯機の断面図
【符号の説明】
２５ａ　蓋体
２６　ベース部材
２７　覆い部材
３０　ロック部材
３０ａ　ロック部
３０ｂ　根元部
【図１】
2004081648.tif 000003
【図２】
2004081648.tif 000004
【図３】
2004081648.tif 000005
【図４】
2004081648.tif 000006
【図５】
2004081648.tif 000007
【図６】
2004081648.tif 000008
【図７】
2004081648.tif 000009